(57)【特許請求の範囲】
【請求項１】
第１画像が表示されるサブ画素と第２画像が表示されるサブ画素が交互に隣接配置された表示パネルと、前記第１画像と前記第２画像をそれぞれ第１視認方向と第２視認方向に判別可能にする開口を備えた遮光バリアーと有し、前記開口の中心が隣接するサブ画素の両画像領域の間の中心から第２視認方向側にずれている２画面表示装置であって、
前記サブ画素の前記第１視認方向側の画像領域を狭くする補正遮光部を備えたことを特徴とする２画面表示装置。
【請求項２】
前記補正遮光部は前記第２視認方向から前記第１視認方向へと徐々に広くなる形状であることを特徴とする請求項１に記載の２画面表示装置。
【請求項３】
前記補正遮光部は、前記サブ画素の前記第１視認方向側の列方向を部分的に遮光する形状であることを特徴とする請求項１に記載の２画面表示装置。
【請求項４】
前記補正遮光部の形状は、前記第１視認方向側と第２視認方向側との光漏れ量が等しくなるように形成されていることを特徴とする請求項１〜３の何れかに記載の２画面表示装置。
【発明の詳細な説明】
【技術分野】
【０００１】
本発明はカーナビゲーション装置等の表示装置等に用いられる２画面表示パネルに関する。詳しくは、本発明は、遮光バリアーの開口の位置をずらすことにより、第１画像の視認範囲と第２画像の視認範囲を非対称にした２画面表示パネルに関する。
【背景技術】
【０００２】
液晶表示パネルや有機ＥＬパネルなどのＦＰＤ（Flat Panel Display）は、ＣＲＴ（Cathode Ray Tube：陰極線管）と比較して軽量、薄型、低消費電力という特徴があるため、表示用として多くの電子機器に使用されている。その一方で、近年の電子機器の多様化に伴い、複数の異なる画像をそれぞれ異なる視方向に判別可能に表示する２画面表示パネルが開発されてきている。この２画面表示パネルは、異なる画像の最小単位であるサブ画素が交互に隣接して表示され、異なる視方向に判別可能に分離するものである。この表示画像を２画面に分離する技術の例としては、レンチキュラーレンズによるもの、信号線に対向する位置の両側に設けられたストライプ状の突起パターンによるもの、液晶シャッターの遮光パターンによるもの、遮光部材の遮光パターンによるもの等が知られている。
【０００３】
２画面表示パネルの用途としては、左右の目を異なる視方向とした立体画像表示装置、教師と生徒が表示パネルを挟んで向き合う教材用の表示装置、運転席と助手席の２方向を異なる視方向とする表示装置等がある。特に、運転の安全性を確保するため、運転中には運転席方向にテレビジョン受信画像やＤＶＤ再生画像等の表示を禁止するために、運転席と助手席の２方向を異なる視方向とする表示装置が多く市販されている。
【０００４】
ところが、運転者が、運転中に助手席側に表示されているテレビジョン受信画像やＤＶＤ再生画像を見ようとして、助手席側に表示されている画像を覗き込むことが懸念される。そこで、より運転の安全性を確保するために、助手席側の画像の視野範囲を運転席から遠ざけることが考えられた。このような助手席側の画像の視野範囲を運転席から遠ざける容易な方法として、下記特許文献１に示されているように、遮光パターンをずらす方法がある。この方法は、下記特許文献２に示されているような、教師と生徒が表示パネルを挟んで向き合う２画面表示装置に適用して、生徒が教師の画像を見え難くする場合にも適用可能である。
【先行技術文献】
【特許文献】
【０００５】
【特許文献１】特開２００６−１８４８６０公報
【特許文献２】特開２００５−０９１５６１公報
【特許文献３】特開２００９−０８０２３７公報
【発明の概要】
【発明が解決しようとする課題】
【０００６】
一方、液晶表示パネルにおいては、所定の階調の電圧が印加されても隣接サブ画素の階調が異なるときは、電気的なクロストークが発生して、異なる輝度になることがある。この電気的なクロストークの原因は、走査線の電圧が切り替わることに伴って発生したスパイクが、画素電極に印加されている電圧実効値を変動させるためと考えられている。特に、上述の複数の異なる画像をそれぞれ異なる視方向に判別可能に表示する電子機器においては、隣接サブ画素に異なる画像が入力されるために、電気的なクロストークが多く発生する。
【０００７】
このため、液晶表示パネルを使用する液晶表示装置では、電気的なクロストーク補正を行った電圧を液晶表示パネルに印加するようにしている。この補正方法は、予め被補正サブ画素の各階調と隣接サブ画素の各階調の全組み合わせの補正データを実験的に求めて電気的な補正テーブル（以降、「補正テーブル」をＬＵＴ（Lookup Table）と称する）を作成し、液晶表示装置のＥＥＰＲＯＭなどに記憶させておく。液晶表示装置は、補正サブ画素の階調と隣接サブ画素の階調に対応する補正データを電気的なＬＵＴから読み取り、これを補正サブ画素の階調に加算して液晶表示パネルに出力するようにしている。
【０００８】
また、２画面表示装置等のように、遮光パターンを有する電子機器においては、遮光パターンのスリットに起因する光学的なクロストークも発生する。この光学的なクロストークの原因は、隣接画素の同色のサブ画素からの光が遮光パターンのスリットで回折して起こる光漏れによるものである。この補正方法は、予め被補正サブ画素の各階調と隣接画素の同色のサブ画素の各階調の全組み合わせの補正データを実験的に求めておき、光学的なＬＵＴを作成して液晶表示装置のＥＥＰＲＯＭなどに記憶させておく。液晶表示装置は、補正サブ画素の階調と隣接画素の同色のサブ画素の階調に対応する補正データを光学ＬＵＴから読み取って、これを補正サブ画素の階調に加算して液晶表示パネルに出力するものである。
【０００９】
上述のように、遮光パターンでは光の回折などにより光漏れが生じるが、運転席側から助手席側の画像を視認し難くするために遮光パターンをずらすと、一方の隣接サブ画素からの光漏れが増大するという問題が生じる。すなわち、図１２Ａに示すように、遮光パターンをずらさない場合には、左右の隣接サブ画素からの光漏れの量が同じとなる。つまり、運転席側用のサブ画素Ｂに対し左右の隣接サブ画素Ｇ、Ｒは助手席側用のサブ画素であるが、このときサブ画素Ｂはこの左右の隣接サブ画素Ｇ、Ｒからの多少の光漏れの影響を受けてしまう。反対に助手席側用のサブ画素Ｒに対し左右の隣接サブ画素Ｂ、Ｇは運転席側用のサブ画素であるが、サブ画素Ｒはこの左右の隣接サブ画素Ｂ、Ｇからの多少の光漏れの影響を受けてしまう。この時左右の隣接サブ画素からの光漏れの影響は、運転席側であっても、助手席側であっても、基本的には同じである。
【００１０】
一方、図１２Ｂに示すように、スリット状の開口を助手席側にずらすと、運転席側用のサブ画素Ｂに対し、左側に隣接する助手席側用のサブ画素Ｇからの光漏れの影響が大きくなり、右側に隣接する助手席側用のサブ画素Ｒからの光漏れの影響が小さくなる。また助手席側用のサブ画素Ｒに対し、左側に隣接する運転席側用のサブ画素Ｂからの光漏れの影響が大きくなり、右側に隣接する運転席側用のサブ画素Ｇからの光漏れの影響が小さくなる。
【００１１】
つまり、運転席側で考えると、遮光パターンをずらさない場合には、サブ画素Ｂは略青色となるが、遮光パターンを助手席側にずらした場合には、サブ画素Ｂは緑色（Ｇ）の影響を強く受けた色となってしまう。また助手席側で考えると、遮光パターンをずらさない場合には、サブ画素Ｒは略赤色となるが、遮光パターンを助手席側にずらした場合には、サブ画素Ｒは青色（Ｂ）の影響を強く受けた色となってしまう。
【００１２】
このように、左右の隣接サブ画素からの光漏れ量が異なると、上記特許文献３に示されているように、実験的に得た光漏れ量の補正テーブルを使用して光漏れの補正を行う２画面表示装置では、実験的に２倍の補正テーブルを取得する必要があり、また、補正テーブルの記憶容量が増大してコストアップの要因となる。
【００１３】
本発明は、上記問題点に鑑みてなされたものであって、遮光バリアーの開口の位置をずらすことにより、第１画像の視認範囲と、第２画像の視認範囲を非対称とした２画面表示パネルにおいて、隣接サブ画素からの光漏れの増大化を抑制し、また、両隣接サブ画素からの光漏れの誤差を低減して、光漏れの補正を容易にした２画面表示装置を提供することを目的とする。
【課題を解決するための手段】
【００１４】
上記目的を達成するため、本発明の２画面表示装置は、第１画像が表示されるサブ画素と第２画像が表示されるサブ画素が交互に隣接配置された表示パネルと、前記第１画像と前記第２画像をそれぞれ第１視認方向と第２視認方向に判別可能にする開口を備えた遮光バリアーと有し、前記開口の中心が隣接するサブ画素の両画像領域の間の中心からずれている２画面表示装置であって、前記サブ画素の前記第１視認方向側の画像領域を狭くする補正遮光部を備えたことを特徴とする。
【００１５】
遮光バリアーの開口が第２視認方向側にずれると、サブ画素の第１視認方向側の光漏れが大きくなり、第２視認方向側の光漏れが小さくなる。そこで、本発明の２画面表示装置では、サブ画素の第１視認方向側の画像領域を狭くしている。これにより、全体の光漏れを少なくするとともに、第１視認方向と第２視認方向の光漏れの誤差を低減することができるようになる。なお、本発明の２画面表示装置においては、補正遮光部にスイッチング素子や柱状スペーサーなど、遮光性のものがあってもよい。
【００１６】
また、本発明の２画面表示装置においては、前記補正遮光部は前記第２視認方向から前記第１視認方向へと徐々に広くなる形状であることが好ましい。
【００１７】
本発明の２画面表示装置によれば、補正遮光部が第２視認方向から第１視認方向へと徐々に広くなっているので、視認方向が設計の位置から僅かにずれたとき、極度に輝度が変化することがないので、バラツキの少ない２画面表示装置が得られる。
【００１８】
また、本発明の２画面表示装置においては、前記補正遮光部は、前記サブ画素の前記第１視認方向側の列方向を部分的に遮光する形状とすることができる。
【００１９】
２画面表示装置のサブ画素は、スイッチング素子等の存在のため、元々開口部の形状が左右非対称になっている。本発明の２画面表示装置によれば、このような左右非対称なサブ画素の形状を利用して、開口度を大きく落とすことなく、第１視認方向側の画像領域を所望の程度となるように狭くすることができるようになる。
【００２０】
また、本発明の２画面表示装置においては、前記補正遮光部の形状は、前記第１視認方向側と第２視認方向側との光漏れ量が等しくなるように形成されていることが好ましい。
【００２１】
本発明の２画面表示装置においては、サブ画素の第１視認方向側の画像領域を狭くすることにより、第１視認方向と第２視認方向の光漏れ量が等しくなるようになされているので、第１視認方向に対応する補正対象のサブ画素の補正データと第２視認方向に対応する補正対象のサブ画素の補正データを同一にすることができる。そのため、本発明の２画面表示装置によれば、補正テーブルの取得時間が２倍になることを回避でき、また、補正テーブルの記憶容量の増大化を抑制することができるようになる。
【図面の簡単な説明】
【００２２】
【図１】液晶表示パネルの画素配列を示す図である。
【図２】２画面の合成原理を示す図である。
【図３】図３Ａは２画面の画像分離の原理を示す断面図であり、図３Ｂは遮光層の遮光パターンを示す平面図である。
【図４】クロストークの発生を示す平面図である。
【図５】２画面表示装置の要部を示すブロック図である。
【図６】図５のクロストーク補正部の要部を示すブロック図である。
【図７】図７Ａは白基準のＬＵＴを示す図であり、図７Ｂは自身基準のＬＵＴを示す図であり、図７Ｃは黒基準のＬＵＴを示す図である。
【図８】図８Ａは４フレームを１周期とするＦＲＣ（Frame Rate Control）のサブ画素配置の例を示す図であり、図８Ｂはその補正値を示す表である。
【図９】図９Ａは比較例１の補正遮光部を示す平面図であり、図９Ｂは比較例２の補正遮光部を示す平面図である。
【図１０】図１０Ａは実施形態の補正遮光部を示す平面図であり、図１０Ｂは図１０Ａの光漏れ状態を説明する図である。
【図１１】図１１Ａは変形例１の遮光バリアーの平面図であり、図１１Ｂは変形例２の平面図である。
【図１２】図１２Ａは遮光パターンをずらさない場合の光漏れ状態を説明する図であり、図１２Ｂは遮光パターンを助手席側にずらした場合の光漏れ状態を説明する図である。
【発明を実施するための形態】
【００２３】
以下、実施形態、比較例及び図面を参照して本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各層や各部材を図面上で認識可能な程度の大きさとするため、各層や各部材毎に縮尺を異ならせて表示しており、必ずしも実際の寸法に比例して表示されているものではない。
【００２４】
本実施形態の２画面液晶表示装置及び各比較例の２画面表示装置は、共に運転席方向にナビゲーション画像を、助手席方向にＤＶＤ再生画像を判別可能に表示する表示装置である。そして、本実施形態の２画面液晶表示装置と比較例の２画面表示装置との構成の差異は、後述するように、遮光バリアーの開口の形状のみである。そのため、まず、図１〜図８を用いて、一般的な２画面表示装置の動作原理について説明する。
【００２５】
図１は、２画面表示装置の一例である液晶表示パネル１１の表示領域１２の各サブ画素を示す図である。表示領域１２は走査線（図示省略）の延在方向（行方向）に例えば８００画素、信号線（図示省略）の延在方向（列方向）に例えば４８０画素からなっているカラー表示のＷＶＧＡタイプのものである。１画素は行方向に整列したＲ（赤）・Ｇ（緑）・Ｂ（青）の３つのサブ画素からなり、１画素は略正方形であり、１画素の色は３つのサブ画素の混色によって定まる。図２に示すように、表示領域１２に表示される画像は、右ハンドル車での運転席方向（本発明における第１視認方向）に表示される第１画像と右ハンドル車での助手席方向（本発明における第２視認方向）に表示される第２画像がサブ画素単位で市松模様に取捨選択された合成画像である。
【００２６】
図３Ａに示すように、２画面表示装置１０の液晶表示パネル１１には表示面側に遮光バリアー１３が形成されており、遮光バリアー１３には、図３Ｂに示すように、市松模様状のスリット状の開口１４の遮光パターンが形成されている。遮光バリアー１３のスリット状の開口１４によって、交互に隣接して表示される第１画像のサブ画素と第２画像のサブ画素は、右ハンドル車の運転席Ｒ方向では第２画像が視認できずに第１画像のみ視認され、右ハンドル車の助手席Ｌ方向では第１画像が視認できずに第２画像のみ視認されるようになる。例えば、運転席Ｒ方向ではナビゲーション画面のみが視認され、助手席Ｌ方向ではＤＶＤ画面のみが視認されるようになっている。ここでは、運転席Ｒ方向は液晶表示パネル１１の表示面と直角方向に対して所定角（ここでは＋３０度）になっており、助手席Ｌ方向は液晶表示パネル１１の表示面と直角方向に対して運転席Ｒ方向と対称の方向（ここでは−３０度）になっている。
【００２７】
図２に示すように、異なる画像が隣接した合成画像では、それぞれが単独で表示された場合と比較して、隣接サブ画素に異なる階調の電圧が印加されることが多くなる。隣接サブ画素に異なる階調の電圧が印加されると電気的なクロストーク（Ｅ−ＸＴ）が発生し易くなる。電気的なクロストークの原因は、走査線の電圧が切り替わることに伴って発生したスパイクが、画素に印加されている電圧実効値を変動させるためと考えられている。例えば、図４に示すように、左視方向の画像が中間調グレーの背景に中央が黒で、右視方向の画像が中間調グレーベタのときは、右視方向の画像の中央が電気的なクロストークによって電圧が変動してしまう等の影響により少し濃い中間調グレーになって表示される。
【００２８】
電気的なクロストークは上述の合成画像の場合に限らず、隣接サブ画素の階調が異なるときに発生するが、特に、合成画像では異なる画像のサブ画素が隣接するために非常に大きなクロストークとなる。このために、２画面表示装置１０では電気的なクロストークの補正が必要である。また、図３Ａに示すように、遮光バリアー１３のスリット状の開口１４で光の回折が生じて、隣接画素の同色のサブ画素からの光が漏れる。この光学的なクロストーク（Ｏ−ＸＴ）の補正も必要である。
【００２９】
図５はこれらの電気的なクロストークの補正と光学的なクロストークの補正を行うクロストーク補正部を備えた２画面表示装置１０を示すブロック図である。２画面表示装置１０は、ナビゲーション部１５、ＤＶＤ再生部１６、選択部１７、２画面合成部１８、ＥＥＰＲＯＭ１９、ＥＥＰＲＯＭコントローラー２０、クロストーク補正部２１、出力信号生成部２２、液晶表示部２３を有している。
【００３０】
ナビゲーション部１５は合成前のナビゲーション画像を出力し、ＤＶＤ再生部１６は合成前のＤＶＤ再生画像を出力する。選択部１７は、図２に示す合成前の第１画像としてナビゲーション部１５から出力されるナビゲーション画像かＤＶＤ再生部１６から出力されるＤＶＤ再生画像かを選択し、また、第２画像としてナビゲーション部１５から出力されるナビゲーション画像かＤＶＤ再生部１６から出力されるＤＶＤ再生画像かを選択して出力する。例えば、車両が停止しているときは、選択部１７は第１画像も第２画像もＤＶＤ再生画像を選択し、車両が走行中は、第１画像としてナビゲーション画像を選択し、第２画像としてＤＶＤ再生画像を選択することができるようになされている。
【００３１】
２画面合成部１８は、選択部１７が選択した第１画像と第２画像を、図２に示すように、市松模様に取捨選択して２つの画像を合成する。ＥＥＰＲＯＭ１９にはＲ、Ｇ、Ｂそれぞれの電気補正テーブルと光学補正テーブルが記憶されている。電気補正テーブルには補正対象のサブ画素の全ての階調に対する全ての隣接サブ画素の階調の電気的な補正データが記憶され、光学補正テーブルには補正対象のサブ画素の全ての階調に対する隣接画素の同色サブ画素の全ての階調の光学的な補正データが記憶されている。この補正データは予め実験によって求められた値である。
【００３２】
ＥＥＰＲＯＭコントローラー２０はＥＥＰＲＯＭ１９の入出力を制御する。クロストーク補正部２１はＥＥＰＲＯＭ１９に記憶される種々のＬＵＴを用いてクロストーク補正を行う。出力信号生成部２２はクロストーク補正部２１で補正された信号を液晶表示部２３で表示できるように極性やタイミングを制御する。液晶表示部２３は、遮光バリアー１３を備え、上述の合成画像を表示するとともに第１画像と前記第２画像を夫々異なる視方向に判別可能にさせる液晶表示パネル１１と、図示省略したバックライト、ゲートドライバー、ソースドライバーなどを有し、出力信号生成部２２からのＲ・Ｇ・Ｂデータを内部の液晶表示パネル１１に表示する。
【００３３】
図６はクロストーク補正部２１の詳細なブロック図である。クロストーク補正部２１は、前処理部２４、Ｒ処理回路２５、Ｇ処理回路２６、Ｂ処理回路２７を有する。前処理部２４は、同期信号に同期して、２画面合成部１８からの合成画像から必要なデータをＲ処理回路２５、Ｇ処理回路２６、Ｂ処理回路２７に送出する。Ｒ処理回路２５、Ｇ処理回路２６、Ｂ処理回路２７はそれぞれＲ、Ｇ、Ｂのクロストーク補正を行う。
【００３４】
２画面表示装置１０のサブ画素の階調データを６ビットとすると、Ｒ・Ｇ・Ｂのそれぞれの輝度は０階調〜６３階調の６４種類となる。ここで２画面表示装置１０をノーマリーブラックモードのものとし、０階調を黒、６３階調を白とする。電気的なクロストークの補正テーブルである電気ＬＵＴは、補正対象のサブ画素の階調（０〜６３）とその右側の隣接サブ画素の階調（０〜６３）に基いて求められる補正値のテーブルである。また、光学的なクロストークの補正テーブルである光ＬＵＴは、補正対象のサブ画素の階調（０〜６３）とその右側の隣接画素の同色サブ画素の階調（０〜６３）に基いて求められる補正値のテーブルである。
【００３５】
電気ＬＵＴと光学ＬＵＴは補正データを０にする階調の基準をどこにするかにより、複種類のＬＵＴが形成される。例えば、図７Ａは白基準の電気ＬＵＴと光ＬＵＴであり、電気ＬＵＴでは隣接サブ画素の階調が白の６３階調のときを補正データ０とし、光ＬＵＴでは右側の隣接画素の同色サブ画素の階調が白の６３階調のときを補正データ０とする。図７Ｂは他のサブ画素から影響を受けない状態を基準とする自身基準の電気ＬＵＴと光ＬＵＴであり、電気ＬＵＴでは両方の階調が等しいときを補正データ０とし、光学ＬＵＴでは隣接画素の同色サブ画素の階調が光漏れのない黒の０階調のときを補正データ０とする。図７Ｃは黒基準の電気ＬＵＴと光ＬＵＴであり、電気ＬＵＴでは隣接サブ画素の階調が黒の０階調のときを補正データ０とし、光学ＬＵＴでは右側の隣接画素の同色サブ画素の階調が黒の０階調のときを補正データ０とする。白基準のＬＵＴは自身基準のＬＵＴと比較して階調の差が目立つ輝度が低い部分の階調を広く補正することができるという長所がある。自身基準のＬＵＴはコントラストが高いという長所がある。
【００３６】
図６に示すように、Ｒ処理回路２５はＲ電気ＬＵＴ２８と、Ｒ光ＬＵＴ２９と、演算部３０と、画素カウンター３１と、ＦＲＣ処理回路３２を有する。Ｒ電気ＬＵＴ２８は前処理部２４から補正対象のサブ画素の階調と右隣のサブ画素の階調を入力して、ＥＥＰＲＯＭ１９から転送されて記憶している補正テーブルから電気的な補正データを抽出する。Ｒ光ＬＵＴ２９は前処理部２４から補正対象のサブ画素の階調と右隣の画素の同色サブ画素の階調を入力して、ＥＥＰＲＯＭ１９から転送されて記憶している補正テーブルから光学的な補正データを抽出する。演算部３０は、前処理部２４からの補正対象のサブ画素の階調に、電気ＬＵＴ２８からの補正データと光ＬＵＴ２９からの補正データを加算する。
【００３７】
画素カウンター３１は前処理部２４からの同期信号に同期して、処理する画素をカウントする。ＦＲＣ処理回路３２は、前処理部２４からの補正対象サブ画素の階調に演算部３０で合計された補正データを加算するとともに、画素カウンター３１に基いて、演算部３０から入力されたＲのデータを、４フレームを１周期とするＦＲＣを行い、Ｒデータを出力信号生成部２２に出力する。
【００３８】
図８ＡはＦＲＣのサブ画素配置の例を示す図であり、図８Ｂはその補正値を示す表である。液晶表示パネル１１の輝度の駆動制御は１階調単位である。即ち、整数でない階調を指定することはできない。しかしながら、１画面（８００画素×４８０画素）の周期、即ちフレーム周期は６０Ｈｚと速いことから、残像を利用し、図８Ｂに示すように、４フレームを１周期として、１周期中に１階調増加させるフレームを１つにした、見かけ上０．２５階調単位のＦＲＣを行う。例えば、１．７５階調の期間中は、１周期の４フレーム中、１フレームを１階調にし、残り３フレームを２階調にすれば、残像により１．７５階調に見えることとなる。
【００３９】
また、フリッカを低減させるために、図８Ａに示すように、１階調増加させるサブ画素の位置をフレームの位置を変えて点在させる。Ｇ処理回路２６とＢ処理回路２７はＲ処理回路２５と同様の構成であり、それぞれ前処理回路からのＧデータとＢデータを分割領域に対応したＬＵＴを用いてクロストーク補正し、出力信号生成部２２に出力する。このように、ＦＲＣ処理を行うので、きめ細かな表示ができるのはもちろんのこと、分割領域の境界線が見えにくくなる効果もある。
【００４０】
次に、上述の構成における２画面表示装置１０の画像処理について説明する。２画面表示装置１０の電源スイッチ（図示省略）がＯＮにされると、ＥＥＰＲＯＭコントローラー２０はＥＥＰＲＯＭ１９のＲ，Ｇ，Ｂそれぞれの電気補正テーブルと光学補正テーブルをクロストーク補正部２１に転送する。図５に示すように、選択部１７は、第１画像としてナビゲーション部１５から出力されるナビゲーション画像かＤＶＤ再生部１６から出力されるＤＶＤ再生画像かを選択し、また、第２画像としてナビゲーション部１５から出力されるナビゲーション画像かＤＶＤ再生部１６から出力されるＤＶＤ再生画像かを選択する。２画面合成部１８は、選択部１７から入力される第１画像（８００画素×４８０画素）と第２画像（８００画素×４８０画素）をサブ画素の市松模様に取捨選択して、１つの画像（８００画素×４８０画素）を合成する。
【００４１】
クロストーク補正部２１の前処理部２４は、同期信号に同期して、２画面合成部１８から入力された合成画像から必要なデータをＲ処理回路２５、Ｇ処理回路２６、Ｂ処理回路２７に送出する。Ｒ電気ＬＵＴ２８は前処理部２４から補正対象のサブ画素の階調と右隣のサブ画素の階調を入力して、ＥＥＰＲＯＭ１９から転送されて記憶している補正テーブルから電気的な補正データを抽出する。Ｒ光ＬＵＴ２９は前処理部２４から補正対象のサブ画素の階調と右隣の画素の同色サブ画素の階調を入力して、ＥＥＰＲＯＭ１９から転送されて記憶している補正テーブルから光学的な補正データを抽出する。演算部３０は、前処理部２４からの補正対象のサブ画素の階調に、電気ＬＵＴ２８からの補正データと光ＬＵＴ２９からの補正データを加算する。ＦＲＣ処理回路３２は、前処理部２４からの補正対象サブ画素の階調に演算部３０で合計された補正データを加算するとともに、画素カウンター３１に基いて、演算部３０から入力されたＲのデータを、４フレームを１周期とするＦＲＣを行い、Ｒデータを出力信号生成部２２に出力する。
【００４２】
Ｇ処理回路２６とＢ処理回路２７はＲ処理回路２５と同様の処理を行い、それぞれＧデータとＢデータを出力信号生成部２２に出力する。出力信号生成部２２はクロストーク補正部２１で補正された信号を液晶表示部２３で表示できるように極性やタイミングを制御する。液晶表示部２３は出力信号生成部２２からのＲ・Ｇ・Ｂデータを内部の液晶表示パネル１１に表示する。
【００４３】
次に、遮光バリアー１３のスリット状のスリット状の開口１４がずれていない比較例１の２画面表示装置１０Ａ（図９Ａ参照）と、スリット状の開口１４がずれている比較例２の２画面表示装置１０Ｂ（図９Ｂ参照）の相違点について説明する。図９Ａに示すように、スリット状の開口１４がずれていない２画面表示装置１０Ａの表示領域１２には遮光材料からなるＢＭ（ブラックマトリクス）３３が信号線（図示省略）と走査線（図示省略）の位置に対応して行方向及び列方向に形成されている。このＢＭ３３で仕切られた領域が画像として表示する画像領域３４Ａである。スリット状の開口１４がずれていない２画面表示装置１０Ａの画像領域３４Ａは、左右対称の同じ形状で形成されている。
【００４４】
スリット状の開口１４がずれていない比較例１の２画面表示装置１０Ａでは、スリット状の開口１４の中心Ｃ１が隣接する両画像領域３４の間のＢＭ３３の中心Ｃ２と一致している。このために、運転席Ｒからの視野範囲を、視方向の内側をＲ１、外側をＲ２とし、助手席Ｌからの視野範囲を、視方向の内側をＬ１、外側をＬ２とすると、Ｒ１＝Ｌ１、Ｒ２＝Ｌ２となり、運転席Ｒと助手席Ｌの視野範囲が対称になる。また、Ｒ１＝Ｒ２、Ｌ１＝Ｌ２となっており、運転席、助手席それぞれの視方向が、それぞれの視野範囲のだいたい中心となるようになっている。このとき、画像領域３４Ａは左右対称となるように略矩形状に設計され、上述した図１２Ａに示したように、光の透過量は画像領域３４Ａの助手席Ｌ側（第２視認方向側）となる左側の領域と、運転席側Ｒ（第１視認方向側）となる右側の領域とで同じとなる。
【００４５】
一方、スリット状の開口１４がずれている比較例２の画面表示装置１０Ｂでは、図９Ｂに示すように、交通安全上、運転者が助手席Ｌ側の第２画像を覗き見ることを防止するために、スリット状の開口１４が図９Ａの位置から助手席Ｌ側にΔＬだけずらされる。このために、運転席Ｒからの視野範囲を、視方向の内側をＲ３、外側をＲ４とし、助手席Ｌからの視野範囲を、視方向の内側をＬ３、外側をＬ４とすると、Ｒ３>Ｒ４、Ｌ４>Ｌ３となる。このときＲ１＋Ｒ２≒Ｒ３＋Ｒ４、Ｌ１＋Ｌ２≒Ｌ３＋Ｌ４となる。
【００４６】
つまり運転席側、助手席側ともに、スリット状の開口がずれていてもずれていなくても、それぞれの側の視野範囲はそれ程大きくは変わらないが（ただし、スリット状の開口を大きくずらした場合は別である）、むしろスリット状の開口をずらしたことにより、運転席側の視野範囲は助手席側の方へ寄り、反対に助手席側の視野範囲は運転席側から遠ざかる方へ寄ることになる。これが助手席Ｌの視野範囲が運転席Ｒから遠ざかるということである。このように、図９Ｂに示した比較例２の２画面表示装置１０Ｂは図９Ａに示した比較例１の２画面表示装置１０Ａよりも、運転者が助手席側の画像を視認し難くなる（つまり運転者が少々顔を助手席側へ移動させたとしても、助手席側の画像は視認できない）ので、安全性が向上する。
【００４７】
しかしながら、比較例２の２画面表示装置１０Ｂにおいて、画像領域３４Ｂを図９Ａの場合と同様に左右対称にすると、運転席Ｒと助手席Ｌからの視方向では、いずれも視野範囲が助手席Ｌ側に寄るために、図１２Ｂに示したように、ずらした側（この場合は左側）に隣接するサブ画素からの光漏れが増大し（反対に右側に隣接するサブ画素からの光漏れは減少）、左右の隣接サブ画素からの光漏れの量に差異が生じる。光漏れの量に差異が生じると、光クロストーク補正の補正データである光ＬＵＴを、運転席側用と助手席側用の２種類取得しなければならず、開発に手数が掛かる。また、補正テーブルの記憶容量が増大してコストアップとなる。
【００４８】
そこで、本実施形態の２画面表示装置１０Ｃでは、液晶表示パネル１１に対して、図１０Ａに示すように、画像領域３４Ｃを、画像領域３４Ｃに楔状の遮光部材からなる補正遮光部３５Ｃを２つ設けることにより、平面視で画像領域３４Ｃは助手席Ｌ側（開口１４をずらす方向で、この場合は各サブ画素の左側）の辺を長辺とし、運転席Ｒ側（開口１４をずらす方向と反対方向で、この場合は各サブ画素の右側）を短辺とする台形に形成している。この補正遮光部３５ＣはＢＭ３３を延在して形成してもよく、信号線（図示省略）や走査線（図示省略）と同一工程、同一材料で形成してもよい。さらに、この補正遮光部３５Ｃを形成するための別工程を追加して形成してもよい。
【００４９】
これにより、各サブ画素の画像領域３４Ｃでは、補正遮光部材３５Ｃによって、開口１４をずらす方向と反対の方向の領域（各サブ画素の右側の領域）は開口１４をずらす方向の領域（各サブ画素の左側の領域）よりも光の透過量が少なくなる。そしてこのような液晶表示パネル１１を用い、遮光バリアー１３を上述のように、助手席Ｌ側にΔＬだけずらすと、図１０Ｂに示すように、運転席Ｒ側では、運転席側用のサブ画素Ｂに対して左側に隣接するサブ画素Ｇは助手席側用のサブ画素であるが、この時サブ画素Ｇは右側の領域の光の透過量が補正遮光部材３５Ｃの影響で少なくなっている。
【００５０】
したがって、図１２Ｂに示した運転席側用の光漏れとは異なり、隣接サブ画素Ｇからの光漏れは少なくなり、サブ画素Ｂは必然的に隣接サブ画素Ｇから受ける光漏れの影響を低減することができる。これによりサブ画素Ｂは緑色（Ｇ）の影響を大幅に低減でき、略青色の表示が可能となる。また助手席Ｌ側では、助手席側用のサブ画素Ｒに対して左側に隣接するサブ画素Ｂは運転席側用のサブ画素であるが、この時サブ画素Ｒは右側の領域の光の透過量が補正遮光部材３５Ｃの影響で少なくなっている。したがって図１２Ｂに示した助手席側用の光漏れとは異なり、隣接サブ画素Ｂからの光漏れは少なくなり、サブ画素Ｒは必然的に隣接サブ画素Ｂから受ける光漏れの影響を低減することができる。これによりサブ画素Ｒは青色（Ｂ）の影響を大幅に低減でき、略赤色の表示が可能となる。このように、運転席側から見たときの隣接サブ画素からの光漏れと、助手席側から見たときの隣接サブ画素からの光漏れのバランスを、遮光バリアーをずらしていないときと同じようにすることができる。
【００５１】
したがって、光クロストーク補正の補正データである光ＬＵＴを、画像領域３４Ｃの左右の光漏れ用として２種類取得することなく、１種類ですむようになる。また、補正テーブルの記憶容量の増大を防止することができる。更に、補正遮光部３５Ｃが助手席Ｌ側から運転席Ｒ側へと徐々に広くなっているので、視認方向が設計の位置から僅かにずれても、極度に輝度が変化することがなくなるという利点も有する。なお、画像領域３４Ｃの左右の調整に関しては、画像領域３４Ｃの台形の寸法を設定することが好ましい。また隣接サブ画素からの光漏れの量が等しくなるように、画素領域３４Ｃにおける補正遮光部材３５Ｃを設定することが好ましい。
【００５２】
［変形例］
上述の実施形態の２画面表示装置１０Ｃは、画像領域３４Ｃが台形となるように形成することで、運転席Ｒ側の光漏れが低減するようにした。しかしながら、画像領域が台形の場合のみでなくとも、同様の作用効果を生じる。たとえば、図１１Ａに示すように、変形例１の２画面表示装置１０Ｄのように、２つの矩形の補正遮光部３５Ｄをサブ画素の右側の上下のコーナーに設けることで画像領域３４Ｃの右側が狭くなるようにしてもよい。
【００５３】
また、図１１Ｂに示すように、変形例２の２画面表示装置１０Ｅのように、１つの矩形の補正遮光部３５Ｅをサブ画素の右側の下のコーナーに設けることで画像領域３４Ｅの右側が狭くなるようにしてもよい。なお、これらの補正遮光部３５Ｃ〜３５Ｅ部分にスイッチング素子としての薄膜トランジスターＴＦＴや液晶層の厚みを保持するフォトペーサーなどの遮光物が配設されていてもよい。
【００５４】
なお、上述の実施形態の２画面表示装置は液晶表示パネルの場合について説明したが、有機ＥＬパネルなど、他の表示パネルの場合についても本発明を適用することができる。また、本発明はモノクロ表示あるいはモノカラーなど、１画素が１サブ画素で構成される表示装置にも適用することができる。また、本発明は左ハンドル用の２画面表示装置や、上記特許文献２に示されているような、教師と生徒が表示パネルを挟んで向き合う２画面表示装置にも適用することができる。
【符号の説明】
【００５５】
１０Ａ〜１０Ｅ…２画面表示装置  １１…液晶表示パネル  １２…表示領域  １３…遮光バリアー  １４…遮光バリアーの開口  １５…ナビゲーション部  １６…ＤＶＤ再生部  １７…選択部  １８…２画面合成部  １９…ＥＥＰＲＯＭ  ２０…ＥＥＰＲＯＭコントローラー  ２１…クロストーク補正部  ２２…出力信号生成部  ２３…液晶表示部  ２４…前処理部  ２５…Ｒ処理回路  ２６…Ｇ処理回路  ２７…Ｂ処理回路  ２８…Ｒ電気ＬＵＴ  ２９…Ｒ光ＬＵＴ  ３０…演算部  ３１…画素カウンター  ３２…ＦＲＣ処理回路  ３３…ＢＭ  ３４Ａ〜３４Ｅ… 画素領域  ３５Ｃ〜３５Ｅ… 補正遮光部  Ｅ−ＸＴ…電気的なクロストーク  Ｏ−ＸＴ…光学的なクロストーク  Ｌ…右ハンドル車の助手席  Ｒ…右ハンドル車の運転席
【図１】
0005403623.tif 000002
【図２】
0005403623.tif 000003
【図３】
0005403623.tif 000004
【図４】
0005403623.tif 000005
【図５】
0005403623.tif 000006
【図６】
0005403623.tif 000007
【図７】
0005403623.tif 000008
【図８】
0005403623.tif 000009
【図９】
0005403623.tif 000010
【図１０】
0005403623.tif 000011
【図１１】
0005403623.tif 000012
【図１２】
0005403623.tif 000013